(57)【要約】【課題】械式スイッチを用いることなく、繰り返し使用のできるを無線タグ内蔵部材。【解決手段】無線電波が透過する部材本体２に、無線電波を受信するアンテナ３と、無線電波を受信して電源の供給を受け、この電源を利用してデータをアンテナ３から送信する無線タグＩＣ４と、無線タグＩＣ４のデータの送信をＯＮ／ＯＦＦ制御するスイッチ５とから成る無線タグ６を内蔵したものであって、スイッチ５が、部材本体２の表面２ａに、アンテナ３の切断箇所を形成する二つの端子５Ａ，５Ｂを離間して露出させたものであり、これら端子５Ａ，５Ｂ間を導通状態又は切断状態とすることでアンテナ３を通信可能状態又は不可能状態に切り換えるようにしたこと。【選択図】  図１
2005128743.tif 000002
【特許請求の範囲】
【請求項１】
無線電波が透過する部材本体に、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを内蔵したものであって、前記スイッチは、前記部材本体の表面に二つの端子を離間して露出させたものであり、これら端子間を導通状態又は切断状態とすることで無線タグを通信可能状態又は不可能状態に切り換えるようにしたことを特徴とする無線タグ内蔵部材。
【請求項２】
前記二つの端子は、前記アンテナの切断箇所を形成するものであり、これら端子間を導通状態又は切断状態とすることで前記アンテナを通信可能状態又は不可能状態に切り換えるようにした請求項１記載の無線タグ内蔵部材。
【請求項３】
前記端子間が、通常切断状態であり、人体の接触で導通状態となる請求項１又は２記載の無線タグ内蔵部材。
【請求項４】
前記端子間が、通常切断状態であり、水の接触で導通状態となる請求項１又は２記載の無線タグ内蔵部材。
【請求項５】
前記二つの端子の各々が複数の分岐端子からなり、一方の端子の分岐端子と他方の端子の分岐端子とを隣接した請求項１，２，３又は４記載の無線タグ内蔵部材。  
【請求項６】
前記二つの端子の一方の端子が複数の分岐端子からなり、他方の端子に形成した複数の抜き部の各々に、この分岐端子を配置した請求項１，２，３又は４記載の無線タグ内蔵部材。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグを内蔵したレンガ等の部材に関するものである。
【背景技術】
【０００２】
アンテナ及び無線タグＩＣを備えた無線タグを内蔵したものとしては、特許文献１に記載された技術がある。この先行技術は、無線タグに外部条件判定部となる機械式スイッチを備え、スイッチが操作されることにより、リーダとの間で無線タグＩＣを応答可能モード、または応答不能モードに切り換えるものがある。また、アンテナを断線させることで、無線タグＩＣを応答可能モードから応答不能モードに切り換えるものがある。
【特許文献１】特開２０００ー２５９８０８号公報
【発明の開示】
【発明が解決しようとする課題】
【０００３】
ところが、前記特許文献１に記載された機械式スイッチを備えた無線タグは、機械式スイッチの可動部により全体を大型化すると共に、コストアップの原因になっていた。また、アンテナを断線させるものにあっては、断線の復旧が不可能なため一回使用しかできない問題があった。
【０００４】
本発明は従来の前記課題に鑑みてこれを改良除去したものであって、機械式スイッチを用いることなく、繰り返し使用のできるを無線タグ内蔵部材を提供せんとするものである。
【課題を解決するための手段】
【０００５】
前記課題を解決するために請求項１記載の本発明が採用した手段は、無線電波が透過する部材本体に、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを内蔵したものであって、前記スイッチは、前記部材本体の表面に二つの端子を離間して露出させたものであり、これら端子間を導通状態又は切断状態とすることで無線タグを通信可能状態又は不可能状態に切り換えるようにしたことを特徴とする無線タグ内蔵部材である。
請求項１記載の本発明にあっては、部材本体の表面に露出した二つの端子の間を、部材本体の外部から導通状態又は切断状態とすることで無線タグを通信可能状態又は不可能状態に切り換えできるので、無線タグに可動部のある機械式のスイッチを備える必要もない。
【０００６】
前記課題を解決するために請求項２記載の本発明が採用した手段は、前記二つの端子は、前記アンテナの切断箇所を形成するものであり、これら端子間を導通状態又は切断状態とすることで前記アンテナを通信可能状態又は不可能状態に切り換えるようにした請求項１記載の無線タグ内蔵部材である。
請求項２記載の本発明にあっては、アンテナの切断箇所を形成する二つの端子でスイッチを形成するため、無線タグＩＣの回路を変更することなくスイッチを得ることができると共に、アンテナを断線させることなく部材本体の外部から繰り返して導通状態又は切断状態とすることできる。
【０００７】
人が簡単にスイッチ操作できるようにするために請求項３記載の本発明が採用した手段は、前記端子間が、通常切断状態であり、人体の接触で導通状態となる請求項１又は２載の無線タグ内蔵部材である。
請求項３記載の本発明にあっては、端子間に人が接触するか否かでスイッチ操作できる。
【０００８】
水の有無で簡単に操作できるようにするために請求項４記載の本発明が採用した手段は、前記端子間が、通常切断状態であり、水の接触で導通状態となる請求項１又は２記載の無線タグ内蔵部材である。
請求項４記載の本発明にあっては、端子間に水が接触するか否かでスイッチ操作ができる。
【０００９】
操作できる領域を広くして操作性の向上を図るために請求項５記載の本発明が採用した手段は、前記二つの端子の各々が複数の分岐端子からなり、一方の端子の分岐端子と他方の端子の分岐端子とを隣接した請求項１，２，３又は４記載の無線タグ内蔵部材である。  請求項５記載の本発明にあっては、二つの端子の分岐端子どうしの隣接する箇所が複数形成される。
【００１０】
操作できる領域を広くして操作性の向上を図るために請求項６記載の本発明が採用した手段は、前記二つの端子の一方の端子が複数の分岐端子からなり、他方の端子に形成した複数の抜き部の各々に、この分岐端子を配置した請求項１，２，３又は４記載の無線タグ内蔵部材である。
請求項６記載の本発明にあっては、他方の端子と一方の分岐端子の隣接する箇所が複数形成される。
【発明の効果】
【００１１】
請求項１記載の本発明に係る無線タグ内蔵部材は、無線タグに可動部のある機械式のスイッチを用いないために、無線タグを小型化して部材本体に容易に内蔵することができ、また、部材本体の外部から導通状態又は切断状態とすることで繰り返し使用が可能である。
【００１２】
請求項２記載の本発明に係る無線タグ内蔵部材は、無線タグＩＣの回路を変更することなくスイッチを簡単に得ることができると共に、アンテナを断線させることなく導通状態又は切断状態とすることで繰り返し使用が可能である。
【００１３】
請求項３記載の本発明に係る無線タグ内蔵部材は、端子間に人が接触するか否かの簡単な操作でスイッチ操作が可能となる。
【００１４】
請求項４記載の本発明に係る無線タグ内蔵部材は、端子間に水が接触するか否かの簡単な操作でスイッチ操作が可能となる。
【００１５】
請求項５および６記載の本発明に係る無線タグ内蔵部材は、二つの端子の隣接する箇所を複数形成することで、操作できる領域を広くして操作性の向上を図ることが可能となる。
【発明を実施するための最良の形態】
【００１６】
以下に、本発明の構成を図面に示す発明の実施の形態に基づいて説明すると次の通りである。
（第１の実施の形態）
図１は本発明の第１の実施の形態に係るものであり、（Ａ）は無線タグ内蔵部材の正面図、（Ｂ）は無線タグ内蔵部材の右側断面図、（Ｃ）は無線タグ６の電気回路構成を示す図面である。
【００１７】
同図に示す如く、この実施の形態の無線タグ内蔵部材１は、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とからなる一つの無線タグ６を有している。スイッチ５は、二つの端子５Ａ，５Ｂを離間して露出させたものであり、これら端子間５Ａ，５Ｂを導通状態（ＯＮ状態）又は切断状態（ＯＦＦ状態）とすることで無線タグ６を通信可能状態又は不可能状態に切り換えるようにしている。アンテナ３の切断箇所を二つの端子５Ａ，５Ｂで形成したときには、これら端子間５Ａ，５Ｂを導通状態（ＯＮ状態）又は切断状態（ＯＦＦ状態）とすることでアンテナ３を通信可能状態又は不可能状態に切り換えられるので、無線タグＩＣ４自体にスイッチ回路を形成する必要もなく、汎用の無線タグＩＣ４を利用してコスト低減を図ることが可能となる。無線タグ６を構成するアンテナ３，無線タグＩＣ４は、部材本体２に内蔵されており、前記スイッチ５を構成する二つの端子５Ａ，５Ｂの先端側一部が部材本体２の表面２ａから露出している。
【００１８】
前記スイッチ５は、通常は端子間５Ａ，５Ｂが導通しない切断状態（ＯＦＦ状態）になっていてアンテナ３を通信不可能状態とし、人体（例えば、指先，手または足）又は水（例えば、注水で水面が上昇する貯水又は雨滴等）の接触で端子間５Ａ，５Ｂが導通状態（ＯＮ状態）になるとアンテナ３を通信可能状態にする。各端子５Ａ，５Ｂは、人体又は水の接触する表面を金メッキ等で被覆して、腐食を防止して確実な導通状態を得ることができるようになっている。
【００１９】
前記アンテナ３は、円形又は方形のループアンテナ以外に、ダイポールアンテナ，ヘリックスアンテナ，ターンスタイルアンテナ等を採用することができる。
【００２０】
前記部材本体２は、合成樹脂若しくは陶磁器等の無線電波が透過する材質からなる固形物であり、例えば、レンガ若しくはタイル等の建築用部材（一般に建材と言われるもの）、棒材若しくは板材等の構造用部材、または、樹脂成型品等の電化製品用部材若しくは自動車用部材等からなり、内部の空洞部２ｂに無線タグ６を内蔵し、封止材７で固定している。空洞部２ｂは、蓋部２ｃで覆われている。
【００２１】
次に、このように構成された無線タグ内蔵部材１の動作態様を説明する。部材本体２の表面２ａに露出する端子間５Ａ，５Ｂが人体の接触または水の接触で導通状態（ＯＮ状態）になってアンテナ３を通信可能状態にすると、リーダ（図示略）側のアンテナから送信される無線電波を、無線タグ６のアンテナ３が受信し、無線タグＩＣ４内部の電圧回路に動作用の電圧を発生させる。
【００２２】
またスイッチ５がＯＮになったことにより、無線タグＩＣ４に記憶されているデータが無線通信インターフエイスを通じてアンテナ３からリーダ（図示略）側のアンテナを経てリーダ回路へ送信される。すると、リーダ回路は、送信されたデータに応じた設定動作を行う。
【００２３】
このように本実施の形態では、無線タグ内蔵部材１の無線タグ６は、無線タグＩＣ４がリーダから無線電波により電源の供給を受け、またスイッチ５の導通状態（ＯＮ状態）となった旨の信号のやりとりをリーダとの間で行うことができる。そのため、前記無線タグ内蔵部材１に電源を供給するための配線及びスイッチ５の操作に基づく信号を出力するための配線が不要である。
【００２４】
（第２の実施の形態）
図２及び図３は本発明の第２の実施の形態に係るものであり、図２は無線タグ内蔵部材を示すものであって、同図（Ａ）は正面図、同図（Ｂ）は右側断面図、図３（Ａ）〜（Ｄ）は部材本体２の表面２ａに露出する端子５Ａ，５Ｂの各配置パターンを拡大して示す正面図である。
【００２５】
本実施の形態に係る無線タグ内蔵部材１１に備えたスイッチ５は、図２（Ａ）及び図３（Ａ）（Ｂ）に示す如く、端子５Ａ（５Ｂ）を複数の分岐端子５ａ（５ｂ）から形成し、一方の端子５Ａの分岐端子５ａと他方の端子５Ｂの分岐端子５ｂとを隣接させ配置してある。図２（Ａ）に示すものは横長短冊状の分岐端子５ａ，５ｂの二組を一列状に配置したものである。図３（Ａ）に示すものは分岐端子５ａ，５ｂの計四組を二列状に配置したものであり、図（Ｂ）に示すものは環状の分岐端子５ａ，５ｂを絶縁材７を介して同心円状に二組配置したものである。この場合、スイッチ５は、分岐端子５ａ，５ｂどうしの隣接する箇所を複数形成することで、操作できる領域を広くして操作性の向上が図れる。
【００２６】
また、前記スイッチ５は、図３（Ｃ）（Ｄ）に示す如く、他方の端子５Ｂの抜き部５Ｂａに、絶縁材７を介して一方の端子５Ａの分岐端子５ａを二列状に配置したものである。分岐端子５ａは、円形（同図（Ｃ））、短冊状（同図（Ｄ））又は星形（図示略）等の任意形状に形成してある。この場合、スイッチ５は、他方の端子５Ｂと分岐端子５ａの隣接する箇所を複数形成することで、操作できる領域を広くして操作性の向上が図れる。
【００２７】
本実施の形態に係る無線タグ内蔵部材１１の前記スイッチ５以外の構成は、前記第１の実施の形態と実質的に同一である。
【００２８】
（その他の実施の形態）
前記無線タグ内蔵部材１（１１）は、アンテナ３と、無線タグＩＣ４と、スイッチ５とからなる無線タグ６の複数組を備えることもある。
【図面の簡単な説明】
【００２９】
【図１】本発明の第１の実施の形態に係るものであり、（Ａ）は無線タグ内蔵部材の正面図、（Ｂ）は無線タグ内蔵部材の右側断面図、（Ｃ）は無線タグの電気回路構成を示す図面である。
【図２】本発明の第２の実施の形態に係る無線タグ内蔵部材を示すものであって、（Ａ）は正面図、（Ｂ）は右側断面図である。
【図３】（Ａ）〜（Ｄ）の夫々は、部材本体の表面に露出する端子の各配置パターンを拡大して示す正面図である。
【符号の説明】
【００３０】
１，１１…無線タグ内蔵部材、２…部材本体、３…アンテナ、４…無線タグＩＣ、５…スイッチ、５Ａ，５Ｂ…端子，５ａ，５ｂ…分岐端子、６…無線タグ
【図１】
2005128743.tif 000003
【図２】
2005128743.tif 000004
【図３】
2005128743.tif 000005